(57)【特許請求の範囲】
【請求項１】
プレハブ鉄筋モルタルパネル又はスラブの製造方法であって、
前記パネルの主面を形成する２つの平行な中央壁（２、５）と、前記中央壁（２、５）の側部同士を接続して前記パネルの側縁を形成する２つの側壁（９）と、前記中央壁（２、５）及び前記側壁（９）の上方又は前方及び下方又は後方である端縁同士を接続して前記パネルの端縁を形成する、前記型枠の位置決めに応じて上端又は前端及び下端又は後端となる２つの端壁と、によって形成される型枠（３）を設けること、
前記各側壁（９）の間及び前記各端壁の間に、それぞれ応力を受けた複数の横方向鉄筋部材（８）及び縦方向鉄筋部材（７）を設けること、
その後、前記各中央壁（２、５）、前記各側壁（９）、及び／又は前記各端壁の１つに設けられている利用可能な空間を通してモルタルを導入すること、を特徴とし、
前記平行の各中央壁（２、５）は、一次元のみで湾曲した構成であり、前記各側壁（９）は矩形かつ平坦であり、前記各端壁は平坦な弧状構成であり、
前記各側壁（９）間の応力を受けた前記複数の横方向鉄筋部材（８）は、仮想円弧上に位置する頂点を形成する平行な段違い軌道を辿ると共に、曲率寸法が小さい方の前記中央壁（５）の凸面（４）に垂直に挿入される支持部材（６）に支持される、プレハブ鉄筋モルタルパネル又はスラブの製造方法。
【請求項２】
前記平行の各中央壁（２、５）、前記各側壁（９）、及び前記各端壁は、それらの成形面がテフロン（登録商標）コーティングされることを特徴とする請求項１に記載のプレハブ鉄筋モルタルパネル又はスラブの製造方法。
【請求項３】
前記曲率寸法が小さい方の中央壁（５）の凹面に対して垂直に、段違い軌道の前記鉄筋部材（８）が応力を受けていることに起因して該鉄筋部材（８）によって加えられる応力に耐える横方向補強手段（１０）が設けられることを特徴とする請求項１に記載のプレハブ鉄筋モルタルパネル又はスラブの製造方法。
【請求項４】
前記各側壁（９）及び前記各端壁は、利用可能な閉鎖手段（１２）によって前記各中央壁（２、５）に接続されることを特徴とする請求項１に記載のプレハブ鉄筋モルタルパネル又はスラブの製造方法。
【請求項５】
前記曲率が小さい方の中央壁（５）に互いに平行に配置される前記横方向補強手段（１０）は、該横方向補強手段（１０）に対して垂直なスペーサーバー（１１）によって接続されることを特徴とする請求項３に記載のプレハブ鉄筋モルタルパネル又はスラブの製造方法。
【請求項６】
前記支持部材（６）は、応力を受けた前記鉄筋部材（７、８）の交点を案内して着座させるための２つの直交溝（１６）が設けられている頭部（１５）を含むことを特徴とする請求項１に記載のプレハブ鉄筋モルタルパネル又はスラブの製造方法。
【請求項７】
前記支持部材（６）は、該支持部材の頭部の付近で２つの隣接する平行面内に直交して位置付けられている２つの径方向貫通孔（１８）を含むことを特徴とする請求項１に記載のプレハブ鉄筋モルタルパネル又はスラブの製造方法。
【請求項８】
前記型枠は、熱調整された流体を循環させるためのジャケットを少なくとも前記各中央壁（２、５）に含み得ることを特徴とする請求項１に記載のプレハブ鉄筋モルタルパネル又はスラブの製造方法。
【発明の詳細な説明】
【技術分野】
【０００１】
本発明は、プレハブ鉄筋モルタルパネル又はスラブを製造する方法に関し、特に、二軸方向鉄筋部材の応力に耐える抵抗手段を有する金属製型枠が用いられると共に、二軸方向にプレストレスを与えた湾曲パネル又はスラブを既製品として得ることができるようになっている方法に関する。
【背景技術】
【０００２】
特許文献１、特許文献２、及び特許文献３等、曲面を有する壁を構築するための型枠が考慮されている特許がいくつか知られている。上記特許文献のすべてで、曲面を有するコンクリート壁の「現場」構築を可能にする型枠構成が言及されているが、いずれの場合も、プレストレスを与えない鉄筋部材で湾曲の母線方向にのみ補強される可能性しかない。
【０００３】
これらの場合、曲面を有すると共に二軸方向プレストレス鉄筋部材を有するプレハブパネル又はスラブを得ることは不可能である。
【０００４】
他方、これまで実際には平坦な構成のみであった補強モルタルパネル又はスラブを成形する従来の方法は、上部が開口した水平型枠を用いるが、これは、モルタルからの水の蒸発に起因して正確な硬化を得難くすると共に、その成形面が型枠剥離剤で覆われる必要がある。
【先行技術文献】
【特許文献】
【０００５】
【特許文献１】スペイン特許第２０８４８６８号
【特許文献２】スペイン特許第２１４１０１０号
【特許文献３】スペイン特許第２１７８６０４号
【発明の概要】
【発明が解決しようとする課題】
【０００６】
曲面、捩れ面、又は球面を有すると共に二軸方向プレストレス鉄筋部材を有する既製品としてパネル又はスラブを製造することができると同時に、硬化プロセス中のモルタルからの水の望ましくない蒸発を回避することができるようにする目的で、湾曲軌道上の鉄筋部材の案内手段を用いて閉鎖型枠内で上記パネル又はスラブを成形するという解決手段が採用されている。
【課題を解決するための手段】
【０００７】
上記解決手段によれば、本発明の目的であるプレハブ鉄筋モルタルパネル又はスラブを製造する方法が開発されており、該方法は、型枠を設けることであって、該型枠は、垂直位置又は水平位置にされることが可能であり、パネルの主面を形成する２つの平行な中央壁と、中央壁の側部同士を接続してこのパネルの側縁を形成する２つの側壁と、中央壁及び側壁の上方又は前方及び下方又は後方である端縁同士を接続してパネルの端縁を形成する、型枠の位置決めに応じて上端又は前端及び下端又は後端となる２つの端壁と、によって形成される型枠を設けること、各側壁の間及び各端壁の間に応力鉄筋部材を二軸方向に設けること、及び、その後、各中央壁、各側壁、及び／又は各端壁の１つに設けられている利用可能な（operable）空間を通してモルタルを導入することからなる。
【０００８】
本発明の１つの特徴は、一実施の形態では、各中央壁が少なくとも一次元で湾曲した構成を有し、各側壁が矩形で実質的に平坦であり、各端壁が平坦で弧状の、好ましくは環状の構成を有する。
【０００９】
本発明のさらなる特徴は、平行な各中央壁、各側壁、及び各端壁の成形面がテフロン（登録商標）コーティングされることである。
【００１０】
本発明のさらに別の特徴は、湾曲パネル又はスラブの場合、各側壁の間の応力鉄筋部材が、仮想円弧上に位置する頂点を形成する平行な段違い軌道を辿ると共に、曲率寸法が小さい方の中央壁の凸面に垂直に挿入される支持部材に支持されることである。
【００１１】
本発明の別の特徴は、曲率寸法が小さい方の中央壁が、その凹面に対して垂直に、段違い軌道の鉄筋部材が応力を受けていることに起因してこれらによって加えられる応力に耐える横方向補強手段を有すると同時に、曲率が小さい方の中央壁に互いに平行に配置される横方向補強手段同士が、それに対して垂直なスペーサーバーによって接続されることである。
【００１２】
最後に、本発明の詳細を構成する他の特徴が、後述される本発明の説明を通して開示される。
【００１３】
上記着想の理解を促すために、プレハブ鉄筋モルタルパネル又はスラブを得るのに好ましい手段を用いてこれらを製造する方法が、例示的な添付図面を参照して以下で説明される。
【図面の簡単な説明】
【００１４】
【図１】プレストレス二軸方向鉄筋部材が設置されている弧状パネルの製造用の型枠の機能原理を概略的に示す。
【図２】前図の方式に従って作製された型枠の実施形態の中央部分の上面図である。
【図３】横方向補強手段を見えるようにした、曲率半径が小さい方の面から見た前図の型枠の斜視図である。
【図４】鉄筋部材の交点用の支持部材の一実施形態の斜視図である。
【図５】前図のものと機能的に同等の鉄筋部材の交点用の支持部材の別の実施形態の斜視図である。
【図６】前図の支持部材の実施形態の変形形態の斜視図である。
【図７】成形作業時に中央壁を側壁に接合する利用可能な閉鎖手段の可能な実施形態の部分断面上面図である。
【発明を実施するための形態】
【００１５】
図１には、本発明の方法が湾曲パネル又はスラブを得るためのものである場合に適用される、本発明の機能原理を示している。
【００１６】
したがって、湾曲パネル用の型枠３の、小中央壁５の凸面４と平行な大中央壁２の凹面１が示されており、型枠３には、縦方向プレストレス鉄筋部材７及び横方向プレストレス鉄筋部材８用の支持部材６が設置されている。
【００１７】
縦方向鉄筋部材７及び横方向鉄筋部材８が支持部材６と共に組み込まれているこれら大中央壁２と小中央壁５との間の空間は、成形すべきモルタルの塊を収容するためのものである。上記縦方向鉄筋部材７及び横方向鉄筋部材８は、それらの支持部材６と共に上記塊に埋め込まれ、支持部材６は、小中央壁５から取り外されることになる。
【００１８】
本発明の方法を実行に移すためには、平行でありパネルの主面を形成する２つの中央壁である大中央壁２及び小中央壁５と、大中央壁２及び小中央壁５の側部同士を接続してパネルの側縁を形成する２つの側壁９とによって形成される、垂直位置又は水平位置にされることが可能な型枠３があることが必要である。型枠３は、予想されるものとして図示されていないが、型枠の位置決めに従って上方又は前方及び下方又は後方である２つの端壁によっても形成される。これら２つの端壁は、上方又は前方及び下方又は後方の端壁として、中央壁２及び５の側縁と側壁９とを接続し、パネルの端縁を形成する。最後に、縦方向鉄筋部材７及び横方向鉄筋部材８が、側壁９間及び端壁間に二軸方向に配置されて応力を受け、その後、中央壁２、５、側壁９、及び／又は先の場合のように図示されていない端壁の１つに設けられている利用可能な空間を通してモルタルが流し込まれる。
【００１９】
本発明は、上記平行な大中央壁２及び小中央壁５が一次元のみで湾曲した構成を有し、側壁９が矩形かつ平坦であり、端壁が平坦な弧状構成である、現在論じている場合を意図したものである。
【００２０】
図１、図２、及び図３において、上記中央壁が平坦な場合、側壁９間及び端壁間の応力を受けた縦方向鉄筋部材７及び横方向鉄筋部材８が、大中央壁２及び小中央壁５と平行な面内にあって２つの直交する群を形成し、各群で鉄筋部材７、８が互いに平行な直線軌道を辿るが、側壁９間の応力を受けた縦方向鉄筋部材７及び横方向鉄筋部材８が、仮想円弧上に位置する頂点を形成する平行な段違い軌道を辿ると共に、小中央壁５の凸面４に垂直に挿入される支持部材６に支持されることが分かる。
【００２１】
図２及び図３において、小中央壁５が、その凹面に対して垂直に、段違い軌道の鉄筋部材が応力を受けていることに起因してこれらによって加えられる応力に耐える横方向補強手段１０を有することが分かる。これらの横方向補強手段１０は、小中央壁５に互いに平行に配置され、それに対して垂直なスペーサーバー１１によって接続される。
【００２２】
他方、図７に示されているように、側壁９は、利用可能な閉鎖手段１２によって大中央壁２及び小中央壁５に接続され、図示されていないが端壁も同様である。
【００２３】
図４は、二股ロッド１３によって形成されている支持部材６の変形形態を示している。
【００２４】
支持部材６の他の実施形態は、図５では、応力を受けた縦方向鉄筋部材７及び横方向鉄筋部材８の交点を案内して着座させるための２つの直交溝１６が設けられている頭部１５を有する本体１４を含み、図６では、頭部１９の付近で２つの隣接する平行面内に直交して位置付けられている、縦方向鉄筋部材７及び横方向鉄筋部材８を通過させる２つの径方向貫通孔１８が設けられている本体１７を含む。
【００２５】
いずれの場合も、型枠３は、湾曲形態で、熱調整された流体を循環させるためのジャケットを少なくともその大中央壁２及び小中央壁５に備え得ることが意図される。
【図１】
0005389179.tif 000002
【図２】
0005389179.tif 000003
【図３】
0005389179.tif 000004
【図４】
0005389179.tif 000005
【図５】
0005389179.tif 000006
【図６】
0005389179.tif 000007
【図７】
0005389179.tif 000008